(57)【要約】      （修正有）【課題】容器本体に取り付けることができる添加剤用容器を開発し、容器本体と組み合わせることによって、バリエーション豊かな容器を提供すること。【解決手段】蓋付き容器本体と、別体の添加剤用容器１０とを備えており、容器本体の収納剤を取り出す際に添加剤５０が少量添加される機構を備えていることを特徴とするハイブリッド容器。容器本体、口部と添加剤用容器１０とを備えたハイブリッド容器であって、容器本体と口部は脱着機構を介して結合されており、添加剤用容器１０は、容器本体側と口部側とに装着できる機構を備えており、添加剤用容器１０は、添加剤を収納する添加剤収納部を有し、注出時に添加剤５０を注出経路１１に添加する機構を備えていることを特徴とするハイブリッド容器。【選択図】図２
2019209974.tif 000002
【特許請求の範囲】
【請求項１】
蓋付き容器本体と、別体の添加剤用容器とを備えており、
添加剤用容器は、添加剤が収納された添加剤収納部材と、該添加剤収納部材を収納する注出口部材を備えており、
注出口部材は、注出口と容器本体への装着部を有し、容器本体の収納剤を取り出す際に添加剤が添加される機構を備えていることを特徴とするハイブリッド容器。 
【請求項２】
容器本体、口部と添加剤用容器とを備えたハイブリッド容器であって、
容器本体と口部は脱着機構を介して結合されており、
添加剤用容器は、容器本体側と口部側とに装着できる機構を備えており、
添加剤用容器は、添加剤を収納する添加剤収納部を有し、注出時に添加剤を注出経路に添加する機構を備えていることを特徴とするハイブリッド容器。
【請求項３】
添加剤が容器本体側に流入しないバックレス機構（弁）を備えていることを特徴とする請求項１又は２記載のハイブリッド容器。
【請求項４】
容器本体には首部があって、口部は開口であって、脱着機構は螺合であり、注出はスクイズ操作であることを特徴とする請求項１〜３のいずれかに記載のハイブリッド容器。
【請求項５】
添加剤収納部に、化粧料、有効成分、香料、調整剤、着色剤、栄養成分、保湿剤、油剤のいずれかの添加剤が収納されており、添加剤の剤型が液剤、クリーム剤、粉剤、粒剤、固形剤のいずれかであることを特徴とする請求項１〜４のいずれかに記載のハイブリッド容器。
【請求項６】
容器本体に収納されるバルクの剤型は、流動性を有する剤型であって、液剤、クリーム剤、ジェル剤のいずれかであることを特徴とする請求項１〜５のいずれかに記載のハイブリッド容器。
【請求項７】
注出口と容器本体に対する装着部を有し、添加剤が収納されている添加剤用容器であって、
添加剤は添加剤収納容器の収納部に収納されており、
添加剤収納容器は、弁を有し、上端部が注出口に密着し、下端部が容器本体の口部に密着する構造を備えていることを特徴とする交換用添加剤用容器。
【発明の詳細な説明】
【技術分野】
【０００１】
本発明は、容器技術に関する。
【背景技術】
【０００２】
各種の容器が開発され、利用されている。例えば、粉末抹茶などを装填したキャップ容器を用いて、飲用時に容器本体に投入して、できたての抹茶を楽しむ容器などが提供されている。
例えば、特許文献１（特開２００８−７４４５６号公報）には、図６に示されるボトルキャップが開示されている。ボトル１の口２の雄ねじ部２ａに螺合するキャップ本体４の上端側に、上端部が閉塞状で下端部が開口した原料収容筒部５を一体に形成し、原料収容筒部５の下端部にはその開口部を封止する底蓋７を嵌着し、原料収容筒部５の内部にはその上端壁部５ａを貫通して下方の底蓋７に当接するように延びる底蓋押し出しロッド８を挿入すると共に、このロッド８の上端径大頭部８ａと原料収容筒部５の上端壁部５ａとの間には、このロッド８の底蓋押し出しを規制する規制手段９を規制解除可能に介装し、この規制手段９の解除後に底蓋押し出しロッド８を押すことによって、底蓋７を押し出して原料収容筒部５内の原料Ｐをボトル１内に放出するようにした。  
特許文献２（特開２０１５−１６３５１９号公報）には、副剤を仕込んだポンプ式の容器であって、使用開始時に副剤を混合する容器（図７参照）が開示されている。主剤が収容される容器本体１１と、容器本体１１の口部に着脱自在に装着される装着部材１２と、副剤が収容され、装着部材１２の内側に配設されるカートリッジ体１３と、を備え、装着部材１２が、容器本体１１の口部に着脱自在に装着され、内側にカートリッジ体１３が装着される下側筒部２１と、下側筒部２１に下降移動自在に装着され、容器本体１１の内部と外部とを連通する連通孔２８Ａを有し、下方に向けて延設された押下筒部２８を有する上側筒部２２と、を備え、カートリッジ体１３が、内部に副剤が収容される有頂筒状のカートリッジ本体３１と、カートリッジ本体３１の下端開口を閉塞する閉塞体３２と、を備え、閉塞体３２には、押下筒部２８に対して下方から対向する係合部３６Ａが突設されている。
【先行技術文献】
【特許文献】
【０００３】
【特許文献１】特開２００８−７４４５６号公報
【特許文献２】特開２０１５−１６３５１９号公報
【発明の概要】
【発明が解決しようとする課題】
【０００４】
本発明は、収納されている剤を何回にも分けて注出するタイプの容器であって、注出の度に添加剤を添加できる容器を開発することを目的とする。
【課題を解決するための手段】
【０００５】
容器の注出経路に添加剤を供給する添加剤用容器を開発して実現した。
【０００６】
本発明の主な構成は次のとおりである。
（１）蓋付き容器本体と、別体の添加剤用容器とを備えており、
添加剤用容器は、添加剤が収納された添加剤収納部材と、該添加剤収納部材を収納する注出口部材を備えており、
注出口部材は、注出口と容器本体への装着部を有し、容器本体の収納剤を取り出す際に添加剤が添加される機構を備えていることを特徴とするハイブリッド容器。 
（２）容器本体、口部と添加剤用容器とを備えたハイブリッド容器であって、
容器本体と口部は脱着機構を介して結合されており、
添加剤用容器は、容器本体側と口部側とに装着できる機構を備えており、
添加剤用容器は、添加剤を収納する添加剤収納部を有し、注出時に添加剤を注出経路に添加する機構を備えていることを特徴とするハイブリッド容器。
（３）添加剤が容器本体側に流入しないバックレス機構（弁）を備えていることを特徴とする（１）又は（２）記載のハイブリッド容器。
（４）容器本体には首部があって、口部は開口であって、脱着機構は螺合であり、注出はスクイズ操作であることを特徴とする（１）〜（３）のいずれかに記載のハイブリッド容器。
（５）添加剤収納部に、化粧料、有効成分、香料、調整剤、着色剤、栄養成分、保湿剤、油剤のいずれかの添加剤が収納されており、添加剤の剤型が液剤、クリーム剤、粉剤、粒剤、固形剤のいずれかであることを特徴とする（１）〜（４）のいずれかに記載のハイブリッド容器。
（６）容器本体に収納されるバルクの剤型は、流動性を有する剤型であって、液剤、クリーム剤、ジェル剤のいずれかであることを特徴とする（１）〜（５）のいずれかに記載のハイブリッド容器。
（７）注出口と容器本体に対する装着部を有し、添加剤が収納されている添加剤用容器であって、
添加剤は添加剤収納容器の収納部に収納されており、
添加剤収納容器は、弁を有し、上端部が注出口に密着し、下端部が容器本体の口部に密着する構造を備えていることを特徴とする交換用添加剤用容器。
【発明の効果】
【０００７】
本発明は、化粧料容器などからバルク（内容料）を取り出す度に添加剤を添加することができる容器を開発できた。
この賦香性剤などが入った添加剤用容器は、ベーシック製品（化粧液・乳液などの低粘度製品）にセットし、バルクに香り・有効成分を付与する。添加剤用容器の使用により現状のベーシック製品の使用感や効果は気に入っているが、好きな香りが付けられないという不満を解消できる。
また個々のユーザーに適した有効成分を添加剤として選択することができる。
各種のバルクが入った容器本体と各種の添加剤が入った添加剤用容器を揃えておくことで、各種の組合せを選択することができ、各人の好みや必要性に応じた組み合わせができる。
また、個人用に決めた基礎バルク入りの容器本体に対して添加剤を選択することができる。この添加剤の選択は、時刻や季節、使用状況によっても可能である。
【図面の簡単な説明】
【０００８】
【図１】実施態様１にかかるハイブリッド容器
【図２】添加剤用容器
【図３】弁と収納容器の例を示す図
【図４】スクイズボトルの例
【図５】実施態様２にかかるハイブリッド容器
【図６】従来例（特許文献１）を示す図
【図７】従来例（特許文献２）を示す図
【発明を実施するための形態】
【０００９】
本発明は、容器本体に取り付けることができる添加剤用容器を開発し、容器本体と組み合わせることによって、バリエーション豊かな容器を提供するものである。使用者の好みや必要性に応じて添加剤の種類を選択して容器本体と個人用に適した組み合わせを提供できるハイブリッド容器である。
本発明の一態様は、容器本体と口部は脱着機構を介して結合されており、添加剤用容器は容器本体側と口部側とに装着できる機構を備えており、添加剤用容器は、添加剤を収納する添加剤収納部を有し、注出時に少量の添加剤を注出経路に添加する機構を備えている容器である。この発明は、既存の容器に添加剤用容器を組み合わせて、新たな機能を備えたハイブリッド容器を創造する。
また、本発明の他の態様は、蓋付き容器本体と、別体の添加剤用容器とを備えており、添加剤用容器は、容器本体への装着部と添加剤収納部材と注出口部材を備えており、注出口部材は、添加剤が注出経路に少量添加される機構を備えているハイブリッド容器である。多種類の添加剤用容器と容器本体をセットにして、利用に多様性を持たせることができる。
【００１０】
容器本体には、ボトル、チューブ容器が用いられる。容器本体には、液剤、クリーム剤、ジェル剤などが収納されている。
添加剤用容器には、化粧料、有効成分、香料、調整剤、着色剤、栄養成分、保湿剤、油剤等の機能性のある添加剤が収納される。容器本体あるいは添加剤用容器には、バックレス機構（例えば、逆止弁）を備えていることが望ましい。
添加剤は、固形、粒状体、粉体、液体など各種の剤型を利用することができる。添加剤を多孔体に担持、不織布等の繊維に付着、通気性のある布などで包むなどして徐々に放出するようにする。
【実施態様１】
【００１１】
図１に実施態様１のハイブリッド容器２００を示す。
ハイブリッド容器２００は、添加剤用容器１０と蓋２１付き容器本体２０から構成される。容器本体はスクイズ注出ができる素材である。
化粧料などが収納された容器本体２０は、先端に開口２３が設けられている首部２２に雄ネジ２４が形成されており、この首部２２に蓋２１が被覆されている。
添加剤用容器１０は、雌ネジが形成された装着部３２を備えている。
容器本体２０の蓋２１を外して、添加剤用容器１０を螺合して、ハイブリッド容器２００とする。容器本体には、化粧料などが収納されており、そのままでも使用することができ、添加剤用容器と組み合わせて使用することもできる。本実施態様では組み合わせ利用について説明している。
いろいろな香剤等の添加剤が収納された添加剤用容器１０が準備されている。容器本体２０は化粧料等が充填されている。容器本体の充填材も複数の種類を備えることができる。したがって、添加剤用容器１０と容器本体２０を選択して、組み合わせることにより、様々なバラエティーに富んだハイブリッド容器を実現できる。
特に、趣味性の高い香りなどの嗜好性に併せて香りを付加した化粧料を実現できる。あるいは、肌質にあった、機能材を付加するなど固有の体質などに適した化粧料などの剤を提供することができる。
【００１２】
添加剤用容器１０の例を図２に示す。
添剤用容器１０は、添加剤５０を内封する添加剤収納部材４０が収納されている注出口部材３０で構成されている。
注出口部材３０は、容器本体の首部に被冠する装着部３２と、上部に注出口３１と、その頂部にヒンジキャップ３４を備え、注出口３１の下方と装着部３２の間に収納部３３を有している。装着部３２の内面には容器本体の首部に形成されている雄ネジと螺合する雌ネジが形成されている。収納部３３に、添加剤収納部材４０が収納される。
添加剤収納部材４０は、中央部に収納部４４が有り、収納部４４には通孔４５が設けられている。この通孔４５には一方向に開口する弁４２が装着されている。収納部４４には、添加剤５０が装填される。
本例では、添加剤は、多孔体性担体に保持された香料などの薬剤を例示することができる。
【００１３】
添加剤用容器１０の組み立てについて、図２（ａ）〜（ｇ）に示している。
（ａ）は、弁４２について、平面視と側面視を示している。円形の弁で、切り込み片によって平らに復帰付勢が付与された弁体であり、下方からの押圧で開き、押圧解除で閉止するタイプが例示されている、弁体は、一方向弁など各種の弁を使用することができる。
例えば、通常は閉止方向付勢された弁体は、本出願人が提案した特開２００５−１４５４６５号公報等に開示されている。
（ｂ）は、中央部に通孔４５が設けられた収納部４４が形成された容器４３が示されている。収納部４４には、通孔４５の上部に弁を収納する弁収納部４６が形成されている。
（ｃ）は、弁４２を通孔４５の上部に装着して添加剤収納容器４１が構築されている。
（ｄ）は、添加剤５０である。本例では、添加剤５０は、香料を担持させた固形担体である。多孔体に担持させるなどして形成することができる。様々な香料を準備して多様な添加剤が提供できる。図示は、錠剤形を模しているが、小孔が設けられた箱体や袋に粒材を封入することもできる。香料は微溶解性にすることで、長期間使用することができる。あるいは、多種類を交換して使用する場合は、使用期間を短く設定することもできる。
【００１４】
（ｅ）は、添加剤収納容器４１の収納部４４に添加剤５０を納めた状態を示している。
（ｆ）は、注出口部材３０を示している。容器本体の首部に装着できるように筒形であって、注出口３１の上部にヒンジキャップ３４を有し、注出口３１の下側には添加剤収納容器４１が入る収納部３３が設けられており、下方内面は雌ネジが形成された装着部３２となっている。注出口３１の下面側には容器４３の収納部４４の外径が収納される円形の膨出部３５が形成されている。
（ｇ）は、注出口部材３０の収納部３３に添加剤収納容器４１をセットして添加剤用容器１０を構築した状態を示している。収納部４４が膨出部３５に納まっている。通孔４５、弁４２、収納部４４、注出口３１が連続して注出経路１１が形成されている。この注出経路１１に添加剤５０が介在しているので、注出動作に伴い、取り出された液剤などに香りなどが付加されることとなる。
【００１５】
図３に弁４２あるいは弁４９と、弁と添加剤を収納する容器４３の例を示す。弁４２にはバネ体が３つあって低粘度の液に適しており、弁４９にはバネ体が１つで高粘度用に適している。
弁４２は特開２００５−１４５４６５号公報の図３に開示した常閉方向に付勢されている平板状の弁を利用することができる。弁４２は、平板状であり、中央の弁板４２ａを常閉方向へ付勢する３本の渦巻状弾性片で形成されるバネ体４２ｂを有する。バネ体４２ｂは弁体を構成する平板に切り欠き溝を設けた細片である。
容器４３は、外筒と内筒があって、中間に設けられている隔壁４７があり、中央部に通孔４５が形成されている。外形は注出口部材３０の収納部３３の円筒部に納まる形状の円筒形である。内筒の上部には弁収納部４６、添加剤用の収納部４４が形成され、内筒上端は注出口部材３０の注出口３１の下面にある膨出部３５に嵌まる。
内筒の下部は容器本体口被嵌部４８となっている。
容器４３は、注出口部材３０の収納部３３に納まり、上部の注出口３１、容器本体の開口２３に接続される。
弁４９は、弁板４９ａが一つのバネ体４９ｂでつながっている。この弁４９を容器４３の弁収納部４６に収納する。
【００１６】
図４にハイブリッド容器２００の使用例を示す。ハイブリッド容器２００は、スクイズによって内容量を取り出す容器である。ハイブリッド容器２００を下むきに傾けてヒンジキャップ３４を開け、容器本体２０を押すと、注出口３１から内容物を取り出すことができる。
注出状態を示す拡大図を（ｂ）に示す。
容器本体に入っている液体は、スクイズされて容器本体の開口２３、弁４２、添加剤５０、注出口３１を通過して外部に取り出される。液体は添加剤に接触して、添加剤の成分が付加されることとなる。本例では、香料が付加される。弁体は常閉方向に付勢されているので、スクイズ終了後は弁が閉じて、添加剤が容器本体側に侵入することは無い。
【００１７】
添加剤用容器１０を賦香性容器にした使用例について説明する。
添加剤用容器１０は、賦香性容器であって、ベーシック製品が充填された容器本体２の首部の雄ネジ２４に簡単にセットできる。容器本体のボトルをスクイズさせるとボトル内圧力が上昇し賦香性容器内の弁が解放となる。そしてベーシック製品のバルクは、賦香性容器内の香り・有効成分を含有した多孔体を通り吐出する仕組みとなっている。賦香性容器には、戻り防止構造（弁）があるため多孔体を通ったバルクは容器本体のベーシック製品内に戻ることはなく、ベーシック製品の品質がセット前と同じ状態に保たれる。そのため元に戻したい、違った香りに変えたい、肌悩みを変えたいなど、肌に届けたい有効成分が変更となった場合、賦香性容器を取り外して何度も付け替えることが可能となっている。
【実施態様２】
【００１８】
図５に容器本体、口部と添加剤用容器とを備えたハイブリッド容器の例を示す。
容器本体２と口部３が螺合などにより脱着可能な容器と、この容器本体に装着できる添加剤用容器１でハイブリッド容器１００が構成される。添加剤用容器１は、容器本体２に接続できる雌ネジなどの機構と口部３に接続できる雄ネジなどの機構を備えている。
添加剤用容器１には、香り成分や美容成分などの個人の嗜好や体質に合った有用成分が収納されている。容器本体２には、既存の化粧料などが収納されている。既存の化粧料に個人の嗜好に合わせた香りなどを添加できるパーソナル化粧料容器を構築することができる。
添加剤は、各種の香りや有効成分を準備して、多様性を揃えて、各人の要望に応える。
なお、図５に示す例では、容器本体と口部の間に添加剤用容器を嵌め込む態様にしているが、添加剤用容器の先端に注出口を設けて、元の口部を使用しない態様も可能である。注出口付きの添加剤用容器としては、実施態様１の例を示すことができる。
実施態様２の容器本体は、既存の化粧料容器に利用者の嗜好に合わせて添加剤用容器を組み付けて楽しむことができるハイブリッド容器を提供できる。
【符号の説明】
【００１９】
１００、２００    ハイブリッド容器
１      添加剤用容器
２      容器本体
３      口部 
１０    添加剤用容器
１１    注出経路
２０    容器本体
２１    蓋
２２    首部
２３    開口
２４    雄ネジ
３０    注出口部材
３１    注出口
３２    装着部
３３    収納部
３４    ヒンジキャップ
３５    膨出部
４０    添加剤収納部材
４１    添加剤収納容器
４２    弁
４２ａ  弁板
４２ｂ  バネ体
４３    容器
４４    収納部
４５    通孔
４６    弁収納部
４７    隔壁
４８    容器本体口被嵌部
４９ａ  弁板
４９ｂ  バネ体
５０    添加剤
【図１】
2019209974.tif 000003
【図２】
2019209974.tif 000004
【図３】
2019209974.tif 000005
【図４】
2019209974.tif 000006
【図５】
2019209974.tif 000007
【図６】
2019209974.tif 000008
【図７】
2019209974.tif 000009